【事件の表示】
　特願２００９−　８３９６１「投射型表示装置」拒絶査定不服審判事件〔平成２２年１０月２１日出願公開、特開２０１０−２３７３４７〕について、次のとおり審決する。
【結　論】
　本件審判の請求は、成り立たない。
【理　由】
１．手続の経緯
　特許出願：　平成２１年３月３１日　  
　拒絶査定：　平成２５年６月１９日（送達日：同年同月２５日）  
　拒絶査定不服審判の請求：　平成２５年９月２０日  
　手続補正：　平成２５年９月２０日
　拒絶理由通知：　平成２６年１０月１０日（以下、「当審拒絶理由」という。発送日：同年同月１４日）
　意見書：　　平成２６年１２月１日（以下、「本件意見書」という。）
　手続補正：　平成２６年１２月１日（以下、「本件補正」という。）
　　
  　
２．本願発明
　本願の請求項１ないし４に係る発明は、本件補正によって補正された明細書、特許請求の範囲及び図面の記載からみて、その特許請求の範囲の請求項１ないし４に記載された事項により特定されるとおりのものであるところ、その請求項１に係る発明は次のとおりである。 
　　
「映像入力端子から入力した入力画像を画像処理して投射映像を生成する投射映像処理部と、
　光束を照射する照明光学ブロックと、
　当該照明光学ブロックからの照射光を前記投射映像処理部からの出力信号に応じて変調して出射する液晶パネルと、
　当該液晶パネルからの出射光を被投射体に投射する投射レンズブロックと、
　ユーザの操作を入力する操作入力部と、
　設置角度センサーと、
を有する投射型表示装置において、
　前記投射映像処理部は、
　前記映像入力端子から入力した前記入力画像を第１の角度だけ回転処理して第１の出力画像を生成する第１画像回転処理部と、
　前記映像入力端子から入力した前記入力画像を第２の角度だけ回転処理して、前記入力画像が前記第１画像回転処理部の回転処理とは異なる方向に回転された第２の出力画像を生成する第２画像回転処理部と、
　第１画像回転処理部からの第１の出力画像と第２画像回転処理部からの第２の出力画像とを１画面に合成することにより、前記映像入力端子から入力された同一の入力画像についての回転方向が異なる２つの画面を１つの画像に含めた画像を生成する２画面合成部と、
　前記２画面合成部によって合成された前記映像入力端子から入力された同一の入力画像についての回転方向が異なる２つの画面を１つの画像に含めた画像に対して拡大、縮小ならびに幾何学歪補正を含むスケーリング処理を行う画像処理部と
を備え、
　前記液晶パネルが前記投射映像処理部の出力に応じて前記照射光を変調し、前記投射レンズブロックが前記液晶パネルからの出射光を投射し、
　前記設置角度センサーの検出結果に応じて、前記投射映像処理部は、前記映像入力端子から入力された同一の入力画像についての回転方向が異なる２つの画面を１つの画像に含めた画像として出力する２画面出力状態と、前記映像入力端子から入力された画像について１つの画像のまま出力する１画面出力状態との切り替えを、前記操作入力部からのユーザ操作を介さずに行う
ことを特徴とする投射型表示装置。」（以下、「本願発明」という。）
　
　
３．当審拒絶理由
　これに対し、当審拒絶理由における理由２の概要は、本願の各請求項に係る発明は、いずれも、その出願前日本国内または外国において頒布された国際公開第２００６／０９８４０２号（発明の名称：プロジェクタ、出願人：ブラザー工業株式会社、国際公開日：２００６年９月２１日、以下、「引用文献」という。）に記載された電気通信回線を通じて公衆に利用可能となった発明、並びに、特開２００５−１２４０７号公報（発明の名称：画像投射装置および画像処理方法、出願人：ソニー株式会社、公開日：平成１７年１月１３日、以下、「周知例１」という。）及び特開２００３−２８００９１号公報（発明の名称：投影表示装置、出願人：オリンパス光学工業株式会社、公開日：平成１５年１０月２日、以下、「周知例２」という。）に記載された周知技術に基づいて、その出願前にその発明の属する技術の分野における通常の知識を有する者が容易に発明をすることができたものであるから、特許法第２９条第２項の規定により特許を受けることができない、というものである。
　
　
４．引用文献記載の事項・引用発明
（１）記載事項
　引用文献には、次の事項（ａ）ないし（ｅ）が図面の図１ないし図１０とともに記載されている。（下線は当審で付した。）
　
（ａ）
「［００２６］
　以下、本発明の各実施形態を図面により説明する。
（第１実施形態）
  
図１及び図２は、本発明の第１実施形態における卓上型プロジェクタを示している。
［００２７］
  
当該プロジェクタは、図１或いは図２にて示すごとく、操作パネルＰ、制御ユニットＵ、ランプ７０、照明光学系８０、透過型液晶パネル９０及び結像光学系Ｅを備えている
［００２８］
  操作パネルＰは、ハウジングＨの上壁に構成されており、当該操作パネルＰは、複数の押動型操作キーを備えている。当該複数の押動型操作キーは、操作メニュー表示キーＰ１、上キーＰ２、下キーＰ３、左キーＰ４、右キーＰ５及び決定キーＰ６でもって構成されている。」
　
（ｂ）
「［００３４］
　制御ユニットＵは、図１にて示すごとく、ランプ７０、照明光学系８０、透過型液晶パネル９０及び結像光学系Ｅと共に、ハウジングＨに内蔵されており、この制御ユニットＵは、ハウジングＨの下部内に配設されている。当該制御ユニットＵは、図３にて示すごとく、操作パネルＰと、ランプ７０と、透過型液晶パネル９０（以下、ＬＣＤ９０ともいう）との間に接続されている。
［００３５］
  この制御ユニットＵは、マイクロコンピュータ２０及び重力センサ２０ａを備えている。マイクロコンピュータ２０は、図３にて示すごとく、バスラインを介し接続してなるＣＰＵ、ＲＯＭ及びＲＡＭを備えており、このマイクロコンピュータ２０は、そのＣＰＵにより、図４にて示すフローチャートに従い、コンピュータプログラムを実行する。
［００３６］
  この実行中において、マイクロコンピュータ２０は、そのＣＰＵにより、ランプ駆動回路４０の駆動制御、操作パネルＰの操作入力に基づく操作メニュー表示指令、重力センサ２０ａにより検出される重力方向に基づく投影方向判定やこの判定に基づくメニュー項目の選択処理等の各種の処理を行う。なお、上記コンピュータプログラムは、マイクロコンピュータ２０のＲＯＭに当該マイクロコンピュータにより読み出し可能に予め記憶されている。
［００３７］
  重力センサ２０ａは、図１にて例示するごとく、ハウジングＨ内にて支持されており、この重力センサ２０ａは、当該プロジェクタ内の設置箇所において重力方向を検出する。具体的には、
当該重力方向は、プロジェクタに設定される基準軸となす角度でもって重力センサ２０ａによって検出される
［００３８］
  
映像信号入力回路５０は、映像信号を外部回路（図示しない）から入力されて画像処理回路３０に所定の形式の映像信号として出力する
［００３９］
  
画像処理回路３０は、マイクロコンピュータ２０の指令に従い映像信号入力回路５０から入力される上記映像信号に対し、信号の付加或いは変更を行うとともに、付加或いは変更を行った映像信号をＬＣＤ駆動回路６０に出力する
［００４０］
  また、この画像処理回路３０は、マイクロコンピュータ２０の操作メニュー表示の指令に従い操作メニューの映像信号の生成を行うとともに、映像信号入力回路５０から入力される上記映像信号に代えて、当該操作メニューの映像信号をＬＣＤ駆動回路６０に出力する。
［００４１］
  
ランプ７０、照明光学系８０及び透過型液晶パネル９０
［００４２］
  照明光学系８０は、図１にて示すごとく、コンデンサレンズ８１、反射ミラー８２、リレーレンズ系８３及び反射ミラー８４を備えている。コンデンサレンズ８１は、ランプ７０から出射される光を集光して反射ミラー８２に向けて出射する。
［００４３］
  反射ミラー８２は、コンデンサレンズ８１及びリレーレンズ系８３の双方を臨むように配設されており、当該反射ミラー８２は、コンデンサレンズ８１から出射される光を反射してリレーレンズ系８３に入射する。
［００４４］
  このリレーレンズ系８３は、凹レンズ８３ａ及び両凸レンズ８３ｂ、８３ｃを同軸的に配列してなるもので、当該リレーレンズ系８３は、反射ミラー８２からの反射光を、凹レンズ８３ａ及び両凸レンズ８３ｂ、８３ｃにより、平行光として反射ミラー８４に向け出射する。反射ミラー８４は、凸レンズ８３ｃ及び液晶パネル９０の双方を臨むように配設されており、
この反射ミラー８４は、リレーレンズ系８３からの出射光を反射し光束状の照明光としてＬＣＤ９０に入射する
［００４５］
  
ＬＣＤ９０は、ＬＣＤ駆動回路６０により駆動されて、照明光学系８０から入射される光束状の照明光に基づき映像を光として出射する。
［００４６］
  
結像光学系Ｅは、図１にて示すごとく、凸レンズ１００、両凹レンズ１１０ａ、１１０ｂ及び投影レンズ１２０でもって構成されており
［００４７］
  従って、
結像光学系Ｅは、ＬＣＤ９０から出射される光をハウジングＨの開口部Ｈ２を通してスクリーンＳｃに投光する。
　
（ｃ）
「［００４８］
　このように構成した本第１実施形態において、当該プロジェクタの作動を、その配設位置に応じて説明する。
（１．当該プロジェクタが上述のように机１０上に立設されている場合）
  制御ユニットＵが作動状態になると、マイクロコンピュータ２０は、そのＣＰＵにより、図４のフローチャートに従いコンピュータプログラムの実行を開始する。なお、上記外部回路から出力される映像信号は映像信号入力回路５０を介し所定の信号形式（例えばＲＧＢ信号）に変換されて画像処理回路３０に入力される。また、重力センサ２０ａは、制御ユニットＵの作動の開始にあわせて重力方向の検出を開始する。
　
　・・・（中略）・・・
　
［００５２］
   上述のようにＬＣＤ９０が上記映像表示データを光として出射すると、この光は、結像光学系ＥによりハウジングＨの開口部Ｈ２を通してスクリーンＳに投光される。これにより、上述した映像が、例えば、「ＡＦ」として、スクリーンＳに投影される（図６参照）。なお、現段階では、映像「ＡＦ」は、図６にて示すごとく、机１０に対し着座姿勢で対向する操作者Ｍの正対視方向から反時計方向に９０°回転した状態で投影されるものとする。
［００５３］
  このような状態において、
操作パネルＰの操作メニュー表示キーＰ１が操作者Ｍ（図６参照）により押動操作される
　
　・・・（中略）・・・
　
［００５５］
  然る後、ステップＳ２３０において、水平投影か否かの判定がなされる。具体的には、
水平投影か否かは、重力センサ２０ａによる検出重力方向に基づき判定される
　
　・・・（中略）・・・
　
［００６４］
  上述のようにＬＣＤ９０が上記操作メニュー表示データを光として出射すると、この光は、結像光学系ＥによりハウジングＨの開口部Ｈ２を通してスクリーンＳｃに投光される。これにより、
上述した水平投影用操作メニューＪが、上述した表示映像、例えば、「ＡＦ」と共に、スクリーンＳｃに投影される（図７参照）。
　
　・・・（中略）・・・
　
［００７１］
  上述したステップＳ２５１における選択メニュー項目の実行指令処理にあたり、水平投影用操作メニューＪにおける選択メニュー項目が、上述のように「９０°反転」ではなく、「分割表示」であれば、分割数「２」或いは「４」が水平投影用操作メニューＪから操作者Ｍにより操作パネルＰの操作でもって上述と同様のカーソルの移動のもとに選択される。なお、現段階において、操作者Ｍ１が、図８にて示すごとく、机１０を介し操作者Ｍに対向して着座したとすれば、上記選択分割数は「２」以上の偶数が好ましい。
［００７２］
  ついで、上述のように分割数が選択された後は、分割表示に伴う水平投影用操作メニューＪ中のメニュー項目が操作者により操作パネルＰの操作でもって選択される。
［００７３］
  ここで、上述のようにスクリーンＳｃに投影された水平投影用操作メニューＪの分割表示は、スクリーンＳｃが水平位置にある場合の水平投影の際の分割表示に必要となるメニュー項目しか含んでいない。このため、水平投影の際の分割表示に必要な操作パネルＰの操作が誤操作を伴うことなく容易にしかも確実になされ得る。
［００７４］
  しかして、上述のような「分割表示」、選択分割数「２」及び選択メニュー項目のもとに
実行指令処理が画像処理回路３０に対しなされる
［００７５］
  
この実行指令処理において、上述のように分割数が「２」であるために、選択メニュー項目が「上下反転」であれば、両映像「ＡＦ」が、図８にて示すごとく、当該プロジェクタでもって、それぞれ、両操作者Ｍ、Ｍ１の各正対視方向にて分割投影される
［００７６］
  以上説明したように、水平投影用操作メニューＪは、上述のごとく、水平投影の際に必要となる複数のメニュー項目で構成されている。従って、当該水平投影用操作メニューＪは、垂直投影にのみ必要とされるメニュー項目を含んでおらず、見易く操作もし易い。よって、垂直投影にのみ必要とされるメニュー項目を誤って選択する等の操作パネルＰの誤操作の発生を未然に防止しつつ、容易にかつ的確に水平投影用操作メニューＪ中のメニュー項目を操作パネルＰの操作により選択できる。その結果、当該プロジェクタＰＪの利用がより一層容易になされ得る。」
　
（ｄ）
「［００７７］
（２．当該プロジェクタが、そのハウジングＨにて、図９にて示すごとく、図１及び図２とは異なり、床に対し垂直状のボードＢに、その表面から水平方向に配設されている場合）
  この場合には、スクリーンＳは、図９にて示すごとく、透明のボードＢの表面に固定されている。なお、ボードＢは、図９にて示すごとく、床に対し垂直状に枠体Ｗにて支持されている。
［００７８］
  上述と同様にコンピュータプログラムがステップＳ２２１（図４参照）に進むと、このステップＳ２２１の処理直前において重力センサ２０ａにより検出された重力方向がマイクロコンピュータ２０のＲＡＭに入力される。
［００７９］
  現段階では、当該プロジェクタの基準軸が水平方向に向いていることから、当該プロジェクタは垂直投影を行う。このため、上述のようにＲＡＭに入力された重力方向に基づき、ステップＳ２３０（図４参照）においてＮＯと判定される。これに伴い、次のステップＳ２３２において、
垂直投影用操作メニューＫのデータが、マイクロコンピュータ２０のＲＯＭに記憶してある操作メニューデータから選択されて読み出される
　
　・・・（中略）・・・
　
［００８５］　
  この実行指令処理では、映像「ＡＦ」が、図９にて示すごとく、操作者Ｍにとって正対視できるように投影されている。しかし、当該映像「ＡＦ」は、ボードＢの裏面側から見るに際しては左右逆になって見える。
　
　・・・（中略）・・・
　
［００９３］　
  なお、本第１実施形態では、スクリーンＳｃは透明のボードＢに固定されているが、白板や黒板などスクリーンＳｃを固定できれば何でもよく、スクリーンＳｃも反対側（裏側）から見えないようなスクリーンであってもよいことはいうまでもない。」
　
（ｅ）
「［０１７９］
　また、スクリーンＳｃに対する投影画像を上記正立画像にするにあたり、操作スイッチ等の余分な構成素子の採用や、この構成素子の操作という余分な作業も不要となり、面倒がなく便利である。」
    　
　上記［００３８］、［００３９］の記載から、引用文献には、
「外部回路から映像信号入力回路５０に入力された映像信号を付加或いは変更してＬＣＤ駆動回路６０に出力する画像処理回路３０」が記載されているということができる。
　上記［００４１］、［００４５］の記載から、引用文献には、
「光束状の照明光を出射するランプ７０及び照明光学系８０」が記載されているということができる。
　上記［００４４］、［００４５］の記載から、引用文献には、
「照明光学系８０から入射される光束状の照明光に基づき、ＬＣＤ駆動回路６０により駆動されて、映像を光として出射するＬＣＤ９０」が記載されているということができる。
　上記［００４６］、［００４７］の記載から、引用文献には、
「ＬＣＤ９０から出射される光をスクリーンＳｃに投光する、凸レンズ１００、両凹レンズ１１０ａ、１１０ｂ及び投影レンズ１２０でもって構成される結像光学系Ｅ」が記載されているということができる。
　上記［００５３］の記載から、引用文献には、
「操作者により操作される操作パネルＰ」が記載されているということができる。
　上記［００３７］の記載から、引用文献には、
「重力方向を検出する重力センサ２０ａ」が記載されているということができる。
　上記［００７４］、［００７５］の記載から、引用文献には、
「前記画像処理回路３０は、実行指令処理がなされることにより、両映像「ＡＦ」が、それぞれ、両操作者Ｍ、Ｍ１の各正対視方向にて分割投影される前記画像処理回路３０とを備え」ることが記載されているということができる。
　上記［００３９］、［００４５］、［００４７］の記載から、引用文献には、
「前記ＬＣＤ９０が前記画像処理回路３０の出力に応じて前記照明光を変調し、前記結像光学系Ｅが前記ＬＣＤ９０からの出射光を投光」することが記載されているということができる。
　上記［００５５］、［００６４］、［００７９］の記載から、引用文献には、
「前記重力センサ２０ａによる検出重力方向に基づいて水平投影か否かが判定され、それにより水平投影用操作メニューと垂直投影用操作メニューのいずれかが選択され、表示映像と共に投影される」ことが記載されているということができる。
　これらの記載と図１ないし図１０の内容からみて、引用文献には以下の発明が記載されている。
　
「外部回路から映像信号入力回路５０に入力された映像信号を付加或いは変更してＬＣＤ駆動回路６０に出力する画像処理回路３０と、
　光束状の照明光を出射するランプ７０及び照明光学系８０と、
　照明光学系８０から入射される光束状の照明光に基づき、ＬＣＤ駆動回路６０により駆動されて、映像を光として出射するＬＣＤ９０と、
　ＬＣＤ９０から出射される光をスクリーンＳｃに投光する、凸レンズ１００、両凹レンズ１１０ａ、１１０ｂ及び投影レンズ１２０でもって構成される結像光学系Ｅと、
　操作者により操作される操作パネルＰと、
　重力方向を検出する重力センサ２０ａと、
を有するプロジェクタにおいて、
　前記画像処理回路３０は、
　実行指令処理がなされることにより、両映像「ＡＦ」が、それぞれ、両操作者Ｍ、Ｍ１の各正対視方向にて分割投影される前記画像処理回路３０と
を備え、
　前記ＬＣＤ９０が前記画像処理回路３０の出力に応じて前記照明光を変調し、前記結像光学系Ｅが前記ＬＣＤ９０からの出射光を投光し、
　前記重力センサ２０ａによる検出重力方向に基づいて水平投影か否かが判定され、それにより水平投影用操作メニューと垂直投影用操作メニューのいずれかが選択され、表示映像と共に投影される
ことを特徴とするプロジェクタ。」（以下、「引用発明」という。）
　　
５．対比
　本願発明と引用発明とを対比する。
　まず、引用発明の「映像信号入力回路５０」が外部回路からの映像信号が入力される映像入力端子を備えることは明らかであるから、引用発明の「外部回路から映像信号入力回路５０に入力された映像信号を付加或いは変更してＬＣＤ駆動回路６０に出力する画像処理回路３０」は、本願発明の「映像入力端子から入力した入力画像を画像処理して投射映像を生成する投射映像処理部」に相当する。また、引用発明の「光束状の照明光を出射するランプ７０及び照明光学系８０」は、本願発明の「光束を照射する照明光学ブロック」に相当し、引用発明の「照明光学系８０から入射される光束状の照明光に基づき、ＬＣＤ駆動回路６０により駆動されて、映像を光として出射するＬＣＤ９０」は、本願発明の「当該照明光学ブロックからの照射光を前記投射映像処理部からの出力信号に応じて変調して出射する液晶パネル」に相当し、引用発明の「ＬＣＤ９０から出射される光をスクリーンＳｃに投光する、凸レンズ１００、両凹レンズ１１０ａ、１１０ｂ及び投影レンズ１２０でもって構成される結像光学系Ｅ」は、本願発明の「当該液晶パネルからの出射光を被投射体に投射する投射レンズブロック」に相当し、引用発明の「操作者により操作される操作パネルＰ」は、本願発明の「ユーザの操作を入力する操作入力部」に相当し、引用発明の「重力方向を検出する重力センサ２０ａ」は、本願発明の「設置角度センサー」に相当し、引用発明の「プロジェクタ」は、本願発明の「投射型表示装置」に相当する。さらに、引用発明における「前記ＬＣＤ９０が前記画像処理回路３０の出力に応じて前記照明光を変調し、前記結像光学系Ｅが前記ＬＣＤ９０からの出射光を投光する」ことは、本願発明において「前記液晶パネルが前記投射映像処理部の出力に応じて前記照射光を変調し、前記投射レンズブロックが前記液晶パネルからの出射光を投射」することに相当する。
　また、引用発明において「前記重力センサ２０ａによる検出重力方向に基づいて水平投影か否かが判定され、それにより水平投影用操作メニューと垂直投影用操作メニューのいずれかが選択され投影される」ことと、本願発明において「前記設置角度センサーの検出結果に応じて、前記投射映像処理部は、前記映像入力端子から入力された同一の入力画像についての回転方向が異なる２つの画面を１つの画像に含めた画像として出力する２画面出力状態と、前記映像入力端子から入力された画像について１つの画像のまま出力する１画面出力状態との切り替えを、前記操作入力部からのユーザ操作を介さずに行う」こととは、いずれも「前記設置角度センサーの検出結果に応じて、前記投射映像処理部は、表示内容の切り替えを、前記操作入力部からのユーザ操作を介さずに行う」ものである点で共通する。
　
　してみると、両者の一致点、相違点は次のとおりである。
　
（一致点）
「映像入力端子から入力した入力画像を画像処理して投射映像を生成する投射映像処理部と、
　光束を照射する照明光学ブロックと、
　当該照明光学ブロックからの照射光を前記投射映像処理部からの出力信号に応じて変調して出射する液晶パネルと、
　当該液晶パネルからの出射光を被投射体に投射する投射レンズブロックと、
　ユーザの操作を入力する操作入力部と、
　設置角度センサーと、
を有する投射型表示装置において、
　前記液晶パネルが前記投射映像処理部の出力に応じて前記照射光を変調し、前記投射レンズブロックが前記液晶パネルからの出射光を投射し、
　前記設置角度センサーの検出結果に応じて、前記投射映像処理部は、表示内容の切り替えを、前記操作入力部からのユーザ操作を介さずに行う
ことを特徴とする投射型表示装置。」
　
（相違点）
相違点１：本願発明の投射映像処理部が、
「前記映像入力端子から入力した前記入力画像を第１の角度だけ回転処理して第１の出力画像を生成する第１画像回転処理部と、
　前記映像入力端子から入力した前記入力画像を第２の角度だけ回転処理して、前記入力画像が前記第１画像回転処理部の回転処理とは異なる方向に回転された第２の出力画像を生成する第２画像回転処理部と、
　第１画像回転処理部からの第１の出力画像と第２画像回転処理部からの第２の出力画像とを１画面に合成することにより、前記映像入力端子から入力された同一の入力画像についての回転方向が異なる２つの画面を１つの画像に含めた画像を生成する２画面合成部」
を備えるのに対し、引用発明においては、両映像「ＡＦ」がそれぞれ、「両操作者Ｍ、Ｍ１の各正対視方向にて分割投影される」とされているものの、画像処理部の具体的な構成に関しては明示されていない点で一応相違する。
　
相違点２：本願発明の投射映像処理部が、
「前記２画面合成部によって合成された前記映像入力端子から入力された同一の入力画像についての回転方向が異なる２つの画面を１つの画像に含めた画像に対して拡大、縮小ならびに幾何学歪補正を含むスケーリング処理を行う画像処理部」
を備えるのに対し、引用発明においては、そのような構成は明示されていない点で一応相違する。
　
相違点３：設置角度センサーの検出結果に応じて、操作入力部からのユーザ操作を介さずに切り替えられる表示内容が、本願発明では２画面出力状態と１画面出力状態との切り替えであるのに対し、引用発明では操作メニューの切り替えである点。
　
　
６．判断
　上記相違点１ないし３について検討する。
　
（１）相違点１について
　引用文献の図６で投影表示されているような入力画像から、同図８に示されているような、「両操作者Ｍ、Ｍ１の各正対視方向にて分割投影される」画像を生成するために画像を回転処理させることは、常套手段であるから、入力画像を「第１の角度だけ回転処理して第１の出力画像を生成する第１画像回転処理部」と、「第２の角度だけ回転処理して、前記入力画像が前記第１画像回転処理部の回転処理とは異なる方向に回転された第２の出力画像を生成する第２画像回転処理部」と、「第１画像回転処理部からの第１の出力画像と第２画像回転処理部からの第２の出力画像とを１画面に合成することにより、前記映像入力端子から入力された同一の入力画像についての回転方向が異なる２つの画面を１つの画像に含めた画像を生成する２画面合成部」を設けることは当業者が適宜なし得る事項である。
　
（２）相違点２について
　引用発明は、「両映像「ＡＦ」が、それぞれ、両操作者Ｍ、Ｍ１の各正対視方向にて分割投影される」ものであるから、すなわち、「２画面合成部によって合成された前記映像入力端子から入力された同一の入力画像についての回転方向が異なる２つの画面を１つの画像に含めた画像」を投影表示するものといえる。
　そして、周知例１（段落【０００３】〜【０００４】）や周知例２（図６の「投影サイズ制御部」「投影ひずみ制御部」）にも示されているように、投射型表示装置一般において、「拡大、縮小ならびに幾何学歪補正を含むスケーリング処理を行う画像処理部」は通常設けられる構成にすぎず、引用発明にこのような構成が設けられることに格別の困難性を有しない。
　したがって、本願発明の相違点２に係る構成のようにすることは格別なことではない。
　
（３）相違点３について
　引用発明は、選択されたメニューと共に表示映像が投影されるものであるが、その際にどのような表示映像が当初選択されるのかについては特に示されていない。しかしながら、設置角度センサーの検出結果に応じて、角度に適した画面の選択が、操作入力部からのユーザ操作を介さずに行われているのであるから、共に投影される表示画像についても、設置角度に応じた画像があれば、メニューと同様にユーザ操作を介さず自動的に選択されるようにする程度のことは、当業者が容易になし得たものといえる。そして、引用文献には、選択する投影画像として、水平投影時の２画面出力（図８）や垂直投影時の１画面出力（図９）も例示されているのであるから、設置角度センサーの検出結果に応じて、操作入力部からのユーザ操作を介さずに２画面出力状態と１画面出力状態との切り替えを行う程度のことは、想定される用途に応じて当業者が適宜選択設定し得たものといえる。
　
　なお、審判請求人は本件意見書において、
「また、引用文献２（当審注：本審決における「引用文献」）には、「重力センサ」によって水平投影か垂直投影かを判定すること・・・については開示されているものの、「分割数」や「回転」角度については、ユーザによるメニュー操作に応じて変更するもの・・・としており、補正後の本願発明における上記のような構成は一切開示されておりません。」
　と主張しているが、これはメニュー表示後に表示形態を変更できるという、当然のことを述べているにすぎず、メニューと共に投影される画像をどのように選択するかとは無関係である。
　
　
７．むすび
　以上のとおり、本願発明は、引用発明及び周知技術に基づいて当業者が容易に発明をすることができたものであるから、特許法第２９条第２項の規定により特許を受けることができない。
　したがって、他の請求項に係る発明について審理するまでもなく、本願は当審拒絶理由によって拒絶すべきものである。
　よって、結論のとおり審決する。